(57)【特許請求の範囲】
【請求項１】
インクを吐出するノズルを有するノズル基板と、
前記ノズル基板を取り囲む天板と、を備え、
前記ノズル基板のうち、前記ノズルからインクが吐出される側の面の全面と、
前記天板のうち、前記ノズルからインクが吐出される側の面の少なくとも一部と、が親インク処理されており、
前記天板は、インクの後退接触角が最前面の外周から前記ノズル基板を中に位置する開口部の側壁にかけて小さくなるよう変化し、前記ノズル基板はインクの後退接触角が一様であることを特徴とするインクジェットヘッド。
【請求項２】
前記天板は、リセス構造部を有し、
前記ノズル基板は、前記天板の最前面よりも低い位置に配置されていることを特徴とする請求項１に記載のインクジェットヘッド。
【請求項３】
前記リセス構造部は、最前面の外周から前記ノズル基板を中に位置する開口部の側壁にかけてなだらかに連続するテーパー部であることを特徴とする請求項２に記載のインクジェットヘッド。
【請求項４】
前記親インク処理は、真空プラズマ処理であることを特徴とする請求項１から３のいずれか一項に記載のインクジェットヘッド。
【請求項５】
前記真空プラズマ処理は、ドライエッチングであることを特徴とする請求項４に記載のインクジェットヘッド。
【請求項６】
前記天板の一部は、
前記天板の前記ノズルからインクを吐出させる方向側に位置する面のうち、前記ノズル基板に隣接する領域であることを特徴とする請求項１から５のいずれか一項に記載のインクジェットヘッド。
【請求項７】
前記インクジェットヘッドは、吐出するインクが粒子を含むインクであることを特徴とする請求項１から６のいずれか一項に記載のインクジェットヘッド。
【発明の詳細な説明】
【技術分野】
【０００１】
本発明は、インクジェットヘッドに関する。
【背景技術】
【０００２】
従来、チャネル内のインクを吐出させることによって各種画像の記録を行うインクジェット記録装置のインクジェットヘッドが知られている。インクジェットヘッドとして、親水化された部分を有するものが知られている。
【０００３】
例えば、２種のインクを交換して吐出可能な吐出部を備えたインクジェットヘッドにおいて、吐出する各インク又は２種の混合インクに対する適正に応じて、吐出口形成面を撥水面とするか非撥水面するかを選択するインクジェット記録装置が知られている（特許文献１参照）。
【０００４】
また、ノズルプレート（ノズル基板）のインク吐出面表面が撥インク処理されたインク射出ノズルの吐出口周縁を親水化処理したインクジェットヘッドが知られている（特許文献２参照）。このインクジェットヘッドにより、クリーニングに起因する傷によるインク吐出方向の曲りを抑制している。
【０００５】
また、ノズルプレート（ノズル基板）のノズル吐出面のみにエネルギーを付与し撥水膜を選択的に形成し、撥水膜形成工程後の第２のエネルギーを付与しながら、ノズル吐出面以外（ノズル内壁面）に親水膜を形成する親水膜形成工程を含むノズルプレートの製造方法が知られている（特許文献３参照）。
【先行技術文献】
【特許文献】
【０００６】
【特許文献１】特開２００６−２４０１６４号公報
【特許文献２】特開２００１−１２１７０９号公報
【特許文献３】特開２０１１−６８０９５号公報
【発明の概要】
【発明が解決しようとする課題】
【０００７】
しかしながら、例えばノズル基板に形成されるノズルを保護するため、ノズル基板の周囲を取り囲むように天板を設ける場合、特許文献１〜３に記載のノズル基板を用いて製造したインクジェットヘッドは、インクをノズルから連続吐出する際に特に高い周波数でインクを連続吐出すると、発生するミストの量は吐出周波数に応じて増えるため、ノズル吐出面に加えて天板にもミストが付着することにより吐出特性が不安定化することがわかった。発明者が鋭意検討した結果、天板に付着するミストが大きく成長して形成された大きな液だまりがノズル基板のうち、インクが吐出される側の面（インク吐出面）に流れ込むと、インク吐出面からノズル穴に戻るインク量も不安定となり、ノズル吐出面の状態を変化させて著しい吐出不安定化を招くことがわかった。
【０００８】
本発明の課題は、インクの連続吐出中も安定化した吐出特性を得ることである。
【課題を解決するための手段】
【０００９】
上記課題を解決するため、請求項１に記載の発明のインクジェットヘッドは、
インクを吐出するノズルを有するノズル基板と、
前記ノズル基板を取り囲む天板と、を備え、
前記ノズル基板のうち、前記ノズルからインクが吐出される側の面の全面と、
前記天板のうち、前記ノズルからインクが吐出される側の面の少なくとも一部と、が親インク処理されており、
前記天板は、インクの後退接触角が最前面の外周から前記ノズル基板を中に位置する開口部の側壁にかけて小さくなるよう変化し、前記ノズル基板はインクの後退接触角が一様であることを特徴とする。
【００１０】
請求項２に記載の発明は、請求項１に記載のインクジェットヘッドにおいて、
前記天板は、リセス構造部を有し、
前記ノズル基板は、前記天板の最前面よりも低い位置に配置されていることを特徴とする。
【００１１】
請求項３に記載の発明は、請求項２に記載のインクジェットヘッドにおいて、
前記リセス構造部は、最前面の外周から前記ノズル基板を中に位置する開口部の側壁にかけてなだらかに連続するテーパー部であることを特徴とする。
【００１２】
請求項４に記載の発明は、請求項１から３のいずれか一項に記載のインクジェットヘッドにおいて、
前記親インク処理は、真空プラズマ処理であることを特徴とする。
【００１３】
請求項５に記載の発明は、請求項４に記載のインクジェットヘッドにおいて、
前記真空プラズマ処理は、ドライエッチングであることを特徴とする。
【００１４】
請求項６に記載の発明は、請求項１から５のいずれか一項に記載のインクジェットヘッドにおいて、
前記天板の一部は、
前記天板の前記ノズルからインクを吐出させる方向側に位置する面のうち、前記ノズル基板に隣接する領域であることを特徴とする。
【００１６】
請求項７に記載の発明は、請求項１から６のいずれか一項に記載のインクジェットヘッドにおいて、
前記インクジェットヘッドは、吐出するインクが粒子を含むインクであることを特徴とする。
【発明の効果】
【００１７】
本発明によれば、連続吐出中も安定化した吐出特性を得ることができる。
【図面の簡単な説明】
【００１８】
【図１】本発明の実施の形態のインクジェット記録装置を示す概略構成図である。
【図２】インクジェットヘッドの概略斜視図である。
【図３】図２の切断面で切断したときのアクチュエーターの断面図である。
【図４】実施例１のインクジェットヘッドの断面図である。
【図５】実施例２のインクジェットヘッドの断面図である。
【図６】実施例３のインクジェットヘッドの断面図である。
【図７】実施例４のインクジェットヘッドの断面図である。
【図８】実施例５のインクジェットヘッドの断面図である。
【図９】実施例６のインクジェットヘッドの断面図である。
【図１０】（ａ）〜（ｄ）は、実施例７のインクジェットヘッドの親インク処理の各工程の断面図である。
【図１１】比較例２のインクジェットヘッドの断面図である。
【発明を実施するための形態】
【００１９】
添付図面を参照して本発明に係る実施の形態を詳細に説明する。なお、本発明は、図示例に限定されるものではない。なお、以下の説明において、同一の機能及び構成を有するものについては、同一の符号を付し、その説明を省略する。
【００２０】
図１〜図３を参照して、本実施の形態の装置構成を説明する。先ず、図１を参照して、本実施の形態のインクジェット記録装置１０００の概略構成について説明する。図１は、インクジェット記録装置１０００を示す概略構成図である。なお、インクジェット記録装置について一例として、以下においてラインヘッドを用いる例を説明しているがこれに限定されない。例えば、記録媒体の搬送方向に対して直交する方向にインクジェットヘッドを走査することによって画像を形成するスキャン方式のインクジェット記録装置に適用することも可能である。また、Ｙ（イエロー）、Ｍ（マゼンタ）、Ｃ（シアン）、Ｋ（ブラック）の各色を設ける例を記載したが、これに限定されず単色でも適用することができる。例えばＫ（ブラック）のみを使用する構成であってもよい。
【００２１】
インクジェット記録装置１０００は、搬送部２００と、画像形成部３００と、インク供給部４００と、制御部５００と、を備えている。インクジェット記録装置１０００では、制御部５００の制御に基づいて、搬送部２００により搬送される記録媒体Ｐに対して、インク供給部４００から供給されたインクにより画像形成部３００で画像を形成する。
【００２２】
搬送部２００は、画像形成が行われる記録媒体Ｐを保持し、画像形成部３００に供給する。搬送部２００は、巻き出しロール２１０、ローラー２２０，２３０及び巻き取りロール２４０等を有する。ロール状に巻かれた長尺状の記録媒体Ｐは、巻き出しロール２１０から繰り出され、ローラー２２０，２３０に支持されながら搬送され、巻き取りロール２４０に巻き取られる。
【００２３】
画像形成部３００は、記録媒体Ｐ上にインクを吐出して画像を形成する。画像形成部３００は、複数のラインヘッド３１０、複数のラインヘッド３１０を保持するキャリッジ３３０等を有している。また、インクとしてエネルギー線で硬化するインクを使用する場合、さらに照射部３２０を備えることが好ましい。
【００２４】
ラインヘッド３１０は、搬送部２００に搬送される記録媒体Ｐに対してインクを吐出し、画像を形成する。ラインヘッド３１０は、Ｙ（イエロー）、Ｍ（マゼンタ）、Ｃ（シアン）、Ｋ（ブラック）の各色について個別に設けられている。図１では、搬送部２００による記録媒体Ｐの搬送方向に対して上流からＹ、Ｍ、Ｃ、Ｋの各色に対応したラインヘッド３１０が順番に設けられている。
【００２５】
本実施の形態のラインヘッド３１０は、キャリッジ３３０に、記録媒体Ｐの搬送方向に略垂直な方向（幅方向）について記録媒体Ｐの全体をカバーする長さ（幅）で設けられている。すなわち、インクジェット記録装置１０００は、ワンパス方式のラインヘッド型インクジェット記録装置である。ラインヘッド３１０は、複数のインクジェットヘッド１００（図２参照）が配列されて構成されている。また、図示の通り、キャリッジ３３０にはキャリッジヒーター３３０ａを設け、インクを加熱するようにしても良い。
【００２６】
照射部３２０は、インクジェット記録装置１０００で用いられるインクが記録媒体Ｐ上に吐出された後に当該インクを硬化させるためのエネルギー線を照射する。照射部３２０は、例えば、低圧水銀ランプ等の蛍光管を有し、当該蛍光管を発光させて紫外線等のエネルギー線を照射する。照射部３２０は、ラインヘッド３１０よりも記録媒体Ｐの搬送方向下流側に設けられている。照射部３２０は、画像形成後の記録媒体Ｐに対してエネルギー線を照射することで、記録媒体Ｐ上に吐出されたインクを硬化させる。
【００２７】
紫外線を発する蛍光管としては、低圧水銀ランプの他、数百Ｐａ〜１ＭＰａ程度の動作圧力を有する水銀ランプ、殺菌灯として利用可能な光源、冷陰極管、紫外線レーザー光源、メタルハライドランプ、発光ダイオード等が挙げられる。これらの中で、紫外線をより高照度で照射可能であって消費電力の少ない光源（例えば、発光ダイオード等）がより望ましい。また、エネルギー線は紫外線に限らず、インクの性質に応じてインクを硬化させる性質を有するエネルギー線であれば良く、光源もエネルギー線の波長などに応じて置換される。
【００２８】
インク供給部４００は、インクタンク４１０、ポンプ４２０、インクチューブ４３０、サブタンク４４０、インクチューブ４５０、ヒーター４６０等を有している。インク供給部４００は、インクを貯留して、当該インクを画像形成部３００のラインヘッド３１０に供給し、各色のインクをラインヘッド３１０の各ノズルから吐出可能とする。インクタンク４１０内のインクは、ポンプ４２０により、インクチューブ４３０を介してインクジェットヘッド１００のインクの背圧を調整するサブタンク４４０に送られる。サブタンク４４０には、フロートセンサー４４０ａが設けられ、フロートセンサー４４０ａによる液面位置の検出データに基づいて制御部５００がポンプ４２０を動作させることにより所定量のインクが貯留されるようになっている。サブタンク４４０内のインクは、インクチューブ４５０を介してインクジェットヘッド１００に供給される。なお、本例では、インクタンク４１０、ポンプ４２０、インクチューブ４３０、サブタンク４４０、インクチューブ４５０、ヒーター４６０を備える構成を例示したが、これに限定されず、インクジェットヘッド１００にインクが供給される構成であれば種々の構成を適用することができる。
【００２９】
また、図１に示す例では、ヒーター４６０は、インク供給部４００の全てを覆うように設けられているが、インク供給部４００を構成する部材のうちいずれかに個別に設けられているものとしても良い。これにより、インク供給部４００内のインクが加熱及び保温されて、インクの温度が所定温度以上に保たれるように構成されている。ヒーター４６０としては、例えば、電熱線や伝熱部材によって構成され、インク供給部４００を構成する各部材を覆ったり、インク供給部４００を構成する部材の外面に貼り付けられたりして設けられている。
【００３０】
本実施形態のインクジェット記録装置１０００に用いられるインクは、特に限られないが、例えば、後述する実施例１〜７の評価のように、粒子を含みミストが舞いやすいインクを用いる場合に効果が高い。
【００３１】
制御部５００は、インクジェット記録装置１０００の各部の動作を制御し、全体の動作を統括する。制御部５００は、ＣＰＵ（Central Processing Unit）、ＲＯＭ（Read Only Memory）、ＲＡＭ（Random Access Memory）等を備える。制御部５００では、ＲＯＭに記憶されているシステムプログラム等の各種処理プログラムが読み出されてＲＡＭに展開され、ＲＡＭに展開されたプログラムがＣＰＵによって実行されることにより、例えば、画像形成処理や上記したインク供給処理等の種々の制御処理が実行される。
【００３２】
図２は、インクジェットヘッド１００の概略斜視図である。インクジェットヘッド１００は、アクチュエーター１と、筐体２と、天板３と、接着剤層４、５と、を備える。
【００３３】
アクチュエーター１の前面（インクの吐出側面（前面１ａ））には、インクを吐出するための多数のノズル１１ａを配列したノズル基板１１が接着されている。
【００３４】
ノズル基板１１としては、ＰＥＴ等のポリアルキレンテレフタレート、ポリイミド、ポリエーテルイミド、ポリエーテルケトン、ポリエーテルスルホン、ポリカーボネート、酢酸セルロース等のプラスチックス、シリコン、及び金属としてはＳＵＳやＮｉを用いることができる。なお、ノズル基板にはインクを吐出する際に発生するミストが付着するため、ステンレス板（例えば、ＳＵＳ３１６など）を用いることにより耐インク性を向上させることができる。
【００３５】
図３は、図２の切断面Ｓで切断したときのアクチュエーター１の断面図である。アクチュエーター１は、各ノズル１１ａに対応する多数のチャネルを並列した長尺状の圧電性セラミック基板からなり、インクに与える圧力変化を発生させる部材である。なお、以下においても説明される本実施態様におけるアクチュエーター１に限定されないことはもちろん、ベンドモードヘッドやインクを加熱して気泡を発生させることによってインクを吐出する方法等、吐出方法によって限定されず、種々の吐出方法において適用することができる。
【００３６】
各チャネル１２は、ダイヤモンドブレード等により直線状の細長い溝形状に切削されて、削り残した圧電性セラミックが隣接するチャネル１２、１２との間の隔壁１３を構成している。各チャネル１２の深さは、図２において右にいくにつれて徐々に浅くなって、ついには消滅する。チャネル１２の内面の一部には金属電極（図示せず）が形成されている。
【００３７】
また、各チャネル１２の上から非圧電性セラミック基板等からなるカバー基板１４が接着されている。カバー基板１４には、各チャネル１２の浅溝部分に対応する位置に、全チャネル１２に亘る開口１４ａが形成されており、この開口１４ａを覆うようにマニホールド１５が設けられ、このマニホールド１５の内側と各チャネル１２の浅溝部分との間に、各チャネル１２にインクを分配するための共通インク室１６が形成されている。
【００３８】
非圧電性セラミック基板としては、アルミナ、窒化アルミニウム、ジルコニア、シリコン、窒化シリコン、シリコンカーバイド、石英、非分極のＰＺＴの少なくとも１つから選ばれることが好ましく、隔壁１３をせん断変形させても分極した圧電性セラミックを確実に支持することができる。
【００３９】
圧電性セラミックとして、ＰＺＴ、ＰＬＺＴ等のセラミックで、主にＰｂＯｘ、ＺｒＯｘ、ＴｉＯｘの混合微結晶体に、ソフト化剤又はハード化剤として知られる微量の金属酸化物、例えばＮｂ、Ｚｎ、Ｍｇ、Ｓｎ、Ｎｉ、Ｌａ、Ｃｒ等の酸化物を含むものが好ましい。
【００４０】
ＰＺＴは、チタン酸ジルコン酸鉛であり、充填密度が大きく、圧電性定数が大きく、加工性が良いので好ましい。ＰＺＴは、焼成後、温度を下げると、急に結晶構造が変化して、原子がズレ、片側がプラス、反対側がマイナスという双極子の形の、細かい結晶の集まりになる。こうした自発分極は方向がランダムで、極性を互いに打ち消しあっているので、更に分極処理が必要となる。
【００４１】
分極処理は、ＰＺＴの薄板を電極で挟み、シリコン油中に漬けて、１０〜３５ｋＶ／ｃｍ程度の高電界を掛けて、分極する。分極したＰＺＴに分極方向に直角に電圧を掛けると、側壁が圧電滑り効果により、斜め方向に、くの字形に、せん断変形して、インク室の容積が膨張する。
【００４２】
金属電極の材料としては、金、銀、アルミニウム、パラジウム、ニッケル、タンタル、チタンを用いることができ、特に、電気的特性、加工性の点から、金、アルミニウムが良く、メッキ、蒸着、スパッタで形成される。各金属電極は、各チャネル１２の内部から、浅溝部分を通ってアクチュエーター１の後方（図３の右端）側の上面まで引き出され、図示しない信号線によって駆動回路と電気的に接続される。
【００４３】
アクチュエーター１は、駆動回路から与えられる駆動電圧が各チャネル１２内の金属電極に印加されると、隔壁１３がせん断変形することでチャネル１２の圧力変化が発生し、応力を受けたチャネル１２内のインクがノズル１１ａから吐出する。ノズル１１ａから吐出したインクはチャネル１２の長手方向に向かって飛翔して紙などの記録材に着弾する。
【００４４】
天板３は、例えば、アクリル、ポリカーボネート、ポリエーテルイミド、変性ＰＰＥ、アルミニウム、ステンレス等を用いることができるが、天板３には、インクがノズルから吐出される際に発生するミストが付着するので、耐インク性の観点からステンレス板（例えば、ＳＵＳ３１６など）が用いられることがより好ましい。
天板３は、ノズル基板１１を取り囲むように配置され、ノズル基板１１の周囲を保護する。インクジェットヘッド１００にはノズル基板１１の周囲に天板３によって平板状のスペースが形成される。天板３の略中央部には、アクチュエーター１のノズル面とほぼ同形状の開口部ｂが設けられ、アクチュエーター１を開口部ｂにはめ込むことで、ノズル基板１１を開口部ｂから臨ませるように配置されている。
天板３とアクチュエーター１との間は、接着剤層５により封止されている。
【００４５】
接着剤層４は、天板３の側面より外側に盛り上がっていることが好ましい。これにより、インクが天板３の裏面まで浸透することを更に抑制することが出来る。接着剤層４，５の接着剤は、例えば、エポキシ化合物と硬化剤と組み合わせたものが用いられる。
【００４６】
なお、吸引キャップを用いてアクチュエーター１のノズル１１ａから強制的にインクを吸引するノズルの回復動作時に、天板３が記録媒体と対抗する面（前面３ａ）をキャップ受け面とし、インクを吸引するための吸引キャップ（図示略）と密着させることによりノズル基板を損傷させることなく、インクを吸引することできる。また、吸引キャップ内部の負圧を保つ機能を有するようにすると、インク吸引をより効率的に行う観点で好ましい。
【００４７】
なお、ノズル基板と天板の少なくとも一部には親インク領域を有する。親インク領域は、（拡張収縮法で測定した）当該領域に対する水の後退接触角を６０°以下とした領域である。ここで、「後退接触角」というのは、水を基材に一度付着させた後、再度水で濡らされた該基材表面の上に作られる接触角である。上述した親インク領域は例えば、真空プラズマ処理等の親インク処理により形成することができ、より具体的にはドライエッチング等を用いることができる。真空プラズマ処理は、真空チャンバー中にインクジェットヘッドチップ、インクジェットヘッド等を置き、Ａｒ、Ｎ２及びＯ２から選ばれる少なくとも１つまたはそれらの混合ガスを注入し、外部からの電磁界で、プラズマ状態にする処理であり、表面のエッチング性を高めるために、ＣＦ４等のフッ素系炭化水素ガスを用いても良い。本実施の形態のインクジェットにおいては、ガスにＯ２が含まれることが好ましい。
【００４８】
このインクジェットヘッド１００を搭載したインクジェット記録装置１０００では、高い周波数でインクを連続吐出しても、連続吐出中に発生したミストが、液だまりとなって付着せずに親インク処理されたノズル基板の全面及び天板の一部で薄い膜となり、吐出安定化を実現できる。また、連続吐出中に発生したミストによって形成された液だまりを薄い膜として天板からノズル基板に流れこませる観点から、天板のノズルからインクを吐出させる方向側に位置する面のうち、ノズル基板に隣接する領域を上述した天板の一部として親インク領域とすることがより好ましい。
本発明者は、上述した吐出安定化を実現できる理由を以下の通り考えている。
高い周波数でインクを連続吐出することにより発生するミストがノズル面に付着しても、親インク処理、すなわち後退接触角を６０°以下としたノズル基板の全面及び天板の一部を親インク領域とすることにより、上述したミストが濡れ広がって大きな液だまりとなることなく、薄い膜を形成する。特に天板に付着したミストが成長して形成された大きな液だまりが、ノズル基板に達することによりノズルに戻るインク量が不安定化することがなく、大きな液だまりと比較して薄い膜となったインクが少量ずつ徐々にノズルに流れ込むため、ノズルを塞ぐことがなく、吐出安定化を実現できると考えている。なお、より薄い膜を形成し、インクを少量ずつノズルに流れ込むようにしてより吐出安定化させる観点から親インク領域の後退接触角を３０°以下とすることがより好ましい。
【００４９】
インクは色材を含有する。色材は、染料又は顔料でありうるが、インクの構成成分に対して良好な分散性を有し、かつ耐候性に優れることから、顔料が好ましい。顔料は、特に限定されないが、例えばカラーインデックスに記載される下記番号の有機顔料又は無機顔料を用いることができる。
顔料としては、例えばカーボンブラック、酸化チタン、炭酸カルシウム等の無機顔料又は有機顔料を使用することができる。有機顔料としては、例えばトルイジンレッド、トルイジンマルーン、ハンザイエロー、ベンジジンイエロー、ピラゾロンレッドなどの不溶性アゾ顔料、リトールレッド、ヘリオボルドー、ピグメントスカーレット、パーマネントレッド２Ｂ等の溶性アゾ顔料；アリザリン、インダントロン、チオインジゴマルーン等の建染染料からの誘導体；フタロシアニンブルー、フタロシアニングリーン等のフタロシアニン系有機顔料；キナクリドンレッド、キナクリドンマゼンタ等のキナクリドン系有機顔料；ペリレンレッド、ペリレンスカーレット等のペリレン系有機顔料；イソインドリノンイエロー、イソインドリノンオレンジ等のイソインドリノン系有機顔料；ピランスロンレッド、ピランスロンオレンジ等のピランスロン系有機顔料；チオインジゴ系有機顔料、縮合アゾ系有機顔料、ベンズイミダゾロン系有機顔料、キノフタロンイエロー等のキノフタロン系有機顔料；イソインドリンイエローなどのイソインドリン系有機顔料；その他の顔料として、フラバンスロンイエロー、アシルアミドイエロー、ニッケルアゾイエロー、銅アゾメチンイエロー、ペリノンオレンジ、アンスロンオレンジ、ジアンスラキノニルレッド、ジオキサジンバイオレット等が挙げられる。
【００５０】
有機顔料をカラーインデックス（Ｃ．Ｉ．）番号で以下に例示する。
【００５１】
Ｃ．Ｉ．ピグメントイエロー１２、１３、１４、１７、２０、２４、７４、８３、８６、９３、１０９、１１０、１１７、１２０、１２５、１２８、１２９、１３７、１３８、１３９、１４７、１４８、１５０、１５１、１５３、１５４、１５５、１６６、１６８、１８０、１８５、
Ｃ．Ｉ．ピグメントオレンジ１６、３６、４３、５１、５５、５９、６１、
Ｃ．Ｉ．ピグメントレッド９、４８、４９、５２、５３、５７、９７、１２２、１２３、１４９、１６８、１７７、１８０、１９２、２０２、２０６、２１５、２１６、２１７、２２０、２２３、２２４、２２６、２２７、２２８、２３８、２４０、
Ｃ．Ｉ．ピグメントバイオレット１９、２３、２９、３０、３７、４０、５０、
Ｃ．Ｉ．ピグメントブルー１５、１５：１、１５：３、１５：４、１５：６、２２、６０、６４、
Ｃ．Ｉ．ピグメントグリーン７、３６、
Ｃ．Ｉ．ピグメントブラウン２３、２５、２６、
【００５２】
上記顔料の中でも、キナクリドン系、フタロシアニン系、ベンズイミダゾロン系、イソ
インドリノン系、縮合アゾ系、キノフタロン系、イソインドリン系有機顔料等は耐光性が
優れているため好ましい。
【００５３】
有機顔料は、レーザ散乱による測定値でインク中の平均粒径が１０ｎｍ以上１５０ｎｍ以下であることが好ましい。顔料の平均粒径が１０ｎｍ未満の場合は、粒径が小さくなることによる耐光性の低下が生じることがある。１５０ｎｍを超える場合はサテライトと言われる微小のミストが発生しやすく、ミストが付着することによって液だまりが生じ、該液だまりによる吐出不良が生じやすい。本発明では、上述したインクも好適に使用することができる。例えばインクに酸化チタンを含有させる場合は白色度と隠蔽性を持たせるために平均粒径を１５０ｎｍ以上３００ｎｍ以下、好ましくは１８０ｎｍ以上２５０ｎｍ以下として画像形成を行うため、本発明を好適に使用することができる。
【００５４】
またインクジェットインク中の顔料の最大粒径は、３．０μｍを越えないよう、十分に分散あるいは、ろ過により粗大粒子を除くことが好ましい。
【００５５】
（実施例１）
図４を参照して、本実施の形態のインクジェットヘッド１００の一実施例としての実施例１のインクジェットヘッド１００Ａを説明する。図４は、インクジェットヘッド１００Ａの断面図である。
【００５６】
図４に示すように、インクジェットヘッド１００Ａは、ノズル基板１１Ａと、天板３Ａと、を有する。図４は、ノズル基板１１Ａのノズル１１ａを通るＸＹ平面の断面図である。
【００５７】
本実施例では、ノズル基板１１Ａのインク吐出方向側の面の全面及び天板の全面に親インク領域１ｃＡ，３ｃＡを有し、ノズル基板１１Ａは、天板３ＡからＸ方向に少し突出している。ノズル基板１１Ａ及び天板３Ａのインク吐出方向側（＋Ｘ側）の面を、図４上の複数の矢印で表されるように、真空プラズマ処理として、ドライエッチングを行うことにより、親インク領域１ｃＡ，３ｃＡが形成される。
なお、本実施例ではドライエッチングを行うこととしたが、これに限定されず親インク処理（後退接触角が６０°以下）できる種々の方法を用いることができる。
ここで、前面とは、＋Ｘ側から見た面であり、最前面とは、Ｘ軸の値が最も高い位置にある前面とし、以下の説明でも同様である。
【００５８】
ここで、インクジェットヘッド１００Ａの製造方法を説明する。先ず、インクジェットヘッド１００Ａの各部材の組立前に、ノズル基板１１Ａには、前面に保護フィルムが貼られ、後面からレーザー光が照射されて、ノズル１１ａが形成される。保護フィルムは、レーザー光照射時に、ノズル基板１１Ａのノズル１１ａの前面側の形状がいびつな不適切な形状になることを防ぐためのものである。なお、上述した保護フィルムを剥がす際に、保護フィルムを貼る前にあらかじめ撥インク層が形成されていると、ノズル基板１１Ａの保護フィルムの糊残りを低減できるので好ましい態様である。ノズル基板１１Ａの保護フィルムの糊残りを低減することによって製造後の液滴の着弾精度（真直度）向上や射出角度分布不良低減の観点で好ましい。
【００５９】
なお、ノズル１１ａ形成後、保護フィルムは剥がされるが、保護フィルムを貼った状態で後の工程流動させることとしてもよい。このとき、保護フィルムでノズルを保護できる。ノズル１１ａ形成後、保護フィルムには穴が開いており、この穴から接着剤や埃等の異物が入るおそれがあるため、穴のない保護フィルムを新たにノズル基板１１Ａに貼ることとしてもよい。
【００６０】
そして、ノズル基板１１Ａ、天板３Ａ、筐体２等が接合されて組み立てられる。このとき、接着剤の使用により、接着剤層４，５が形成される。そして、ノズル基板１１Ａ及び天板３Ａのインク吐出側の面に、真空プラズマ処理として、ドライエッチングにより、親インク処理され、親インク領域１ｃＡ，３ｃＡが形成される。親インク領域１ｃＡ，３ｃＡの後退接触角は、６０°以下にされている。
【００６１】
ドライエッチングの際には、インクジェットヘッド１００Ａの筐体２、電装系等を含む本体部を覆う金属製の保護材をインクジェットヘッド１００Ａに取り付けて、ドライエッチングを行うのが好ましい。完成後のインクジェットヘッド１００Ａは、検査液等を使った検査が行われる。インクジェットヘッド１００Ａは、この検査により用いられた検査液がアクチュエーター１、ノズル基板１１Ａのノズル１１ａの流路やノズル穴全体に残るおそれがあるが、この検査液を乾かすことによりドライアップされる。なお、ドライアップされたインクジェットヘッド１００Ａをインクジェット記録装置１０００に搭載して使用することもできるが、さらに吐出安定性を向上させる観点で、インクジェット記録装置１０００に搭載して記録動作を行う前に、使用するインクでインクジェットヘッド１００Ａの流路及びノズル面を濡らしておくことが好ましい。また、前述した濡らすインクは使用するインクに限られず、例えば顔料や染料を除いたダミーインクを用いても良い。
【００６２】
（実施例２）
図５を参照して、本実施の形態のインクジェットヘッド１００の一実施例としての実施例２のインクジェットヘッド１００Ｂを説明する。図５は、インクジェットヘッド１００Ｂの断面図である。なお、実施例１と同じ部材には、同じ符号を付してその説明を省略する。
【００６３】
図５に示すように、インクジェットヘッド１００Ｂは、ノズル基板１１Ａと、天板３Ｂと、を有する。図５は、ノズル基板１１Ａのノズル１１ａを通るＸＹ平面の断面図である。
【００６４】
インクジェットヘッド１００Ｂは、実施例１と同様にノズル基板１１Ａのインク吐出側の面の全面及び天板３Ｂの全面に親インク領域１ｃＡ，３ｃＢを有しているが、実施例２では天板３Ｂが、ノズル基板１１ＡからＹ方向、Ｚ方向（ＸＹ平面に垂直な方向）に離れるにつれて２段階にＸ方向の高さが変化する凹構造のリセス構造部である凹部３Ｂ１を有する。凹部３Ｂ１のＸ方向の高さは、天板３Ｂの最前面の高さの半分の高さである。また、凹部３Ｂ１は、Ｙ方向において、天板３Ｂの長さのうちノズル基板１１Ａ側の１／２の長さの領域に形成されている。また、凹部３Ｂ１は、Ｚ方向において、天板３Ｂの長さのうちノズル基板１１Ａ側の１／２の長さの領域に形成されている。凹部３Ｂ１は、＋Ｘ方向から見て、ノズル基板１１Ａの周囲に帯状に形成されている。凹部３Ｂ１の前面は、ノズル基板１１Ａの前面よりもＸ方向の高さが低い。天板３Ｂの最前面（凸部の前面）は、ノズル基板１１Ａの前面よりもＸ方向の高さが高い。なお、この凹部３Ｂ１の位置、形状は、一例であって、この例に限定されるものではない。例えば、天板３Ｂの最前面は、ノズル基板１１Ａの前面とＸ方向の高さが等しい構成としてもよい。また、凹部３Ｂ１の前面のＸ方向の高さが、ノズル基板１１Ａの前面の高さ以上である構成としてもよい。
【００６５】
（実施例３）
図６を参照して、本実施の形態のインクジェットヘッド１００の一実施例としての実施例３のインクジェットヘッド１００Ｃを説明する。図６は、インクジェットヘッド１００Ｃの断面図である。なお、実施例１と同じ部材には、同じ符号を付してその説明を省略する。
【００６６】
図６に示すように、インクジェットヘッド１００Ｃは、ノズル基板１１Ａと、天板３Ｃと、を有する。図６は、ノズル基板１１Ａのノズル１１ａを通るＸＹ平面の断面図である。
【００６７】
天板３Ｃは、実施例１の天板３Ａと同様の形状を有しているが、前面の全面が親インク処理されておらず、天板３Ｃの前面の一部、より具体的には天板３Ｃの前面のうち、ノズル基板１１Ａに隣接する領域を親インク領域３ｃＣとする。本実施例においては、親インク領域３ｃＣは、Ｙ方向において、天板３Ｃの長さのうちノズル基板１１Ａ側の１／３の長さの領域に形成されている。また、親インク領域３ｃＣは、Ｚ方向において、天板３Ｃの長さのうちノズル基板１１Ａ側の１／３の長さの領域に形成されている。なお、この親インク領域３ｃＣの位置、形状は、一例であって、この例に限定されるものではない。
【００６８】
インクジェットヘッド１００Ｃの製造方法は、インクジェットヘッド１００Ｃの組立までは、実施例１のインクジェットヘッド１００Ａの製造方法と同様である。組み立てたインクジェットヘッド１００Ｃには、金属等の保護材２１が天板３Ｃ上に設けられ、真空プラズマ処理として、ドライエッチングを行うことにより、親インク処理され、親インク領域１ｃＡ，３ｃＣが形成される。親インク領域３ｃＣは、＋Ｘ側から見て、ノズル基板１１Ａの周囲に帯状に形成されている。保護材２１は、除去される。
【００６９】
（実施例４）
図７を参照して、本実施の形態のインクジェットヘッド１００の一実施例としての実施例４のインクジェットヘッド１００Ｄを説明する。図７は、インクジェットヘッド１００Ｄの断面図である。なお、実施例１と同じ部材には、同じ符号を付してその説明を省略する。
【００７０】
図７に示すように、インクジェットヘッド１００Ｄは、ノズル基板１１Ａと、天板３Ｄと、を有する。図７は、ノズル基板１１Ａのノズル１１ａを通るＸＹ平面の断面図である。
【００７１】
天板３Ｄは、実施例２の凹部３Ｂ１と同様の位置、形状の凹部３Ｄ１を有する。但し、天板３Ｄは、前面の全面が親インク処理されておらず、一部のみが親インク処理されて、天板３Ｄの凹部３Ｄ１の前面の一部に、親インク領域３ｃＤが形成されている。また、親インク領域３ｃＤは、Ｙ方向において、凹部３Ｄ１の長さのうちノズル基板１１Ａ側の１／３の長さの領域に形成されている。また、親インク領域３ｃＤは、Ｚ方向において、凹部３Ｄ１の長さのうちノズル基板１１Ａ側の１／３の長さの領域に形成されている。なお、この凹部３Ｄ１、親インク領域３ｃＤの位置、形状は、一例であって、この例に限定されるものではない。
【００７２】
インクジェットヘッド１００Ｄの製造方法は、インクジェットヘッド１００Ｄの組立までは、実施例１のインクジェットヘッド１００Ａの製造方法と同様である。組み立てたインクジェットヘッド１００Ｄには、保護材２１が天板３Ｄ上に設けられ、真空プラズマ処理として、ドライエッチングを行うことにより、親インク処理され、親インク領域１ｃＡ，３ｃＤが形成される。親インク領域３ｃＤは、＋Ｘ側から見て、ノズル基板１１Ａの周辺に帯状に形成されている。保護材２１は、除去される。
【００７３】
（実施例５）
図８を参照して、本実施の形態のインクジェットヘッド１００の一実施例としての実施例５のインクジェットヘッド１００Ｅを説明する。図８は、インクジェットヘッド１００Ｅの断面図である。なお、実施例１と同じ部材には、同じ符号を付してその説明を省略する。
【００７４】
図８に示すように、インクジェットヘッド１００Ｅは、ノズル基板１１Ａと、天板３Ｅと、を有する。図８は、ノズル基板１１Ａのノズル１１ａを通るＸＹ平面の断面図である。
【００７５】
天板３Ｅは、実施例２の天板３Ｂとは異なるテーパー状のリセス構造であるテーパー部３Ｅ１を有する。本実施例では、ノズル基板１１Ａがテーパー部３Ｅ１の前面の一番低い部分と比較してＸ方向において高い位置に配置されているため、テーパー部３Ｅ１の前面の一番低い部分とアクチュエーター１の側壁が接している。テーパー部３Ｅ１は、最前面の外周（テーパー部３Ｅ１におけるノズル基板１１Ａと逆側の最前部分）からノズル基板１１Ａを中に位置する開口部ｂの側壁（アクチュエーター１、ノズル基板１１Ａの側壁）にかけてなだらかに連続している。なお、テーパー部３Ｅ１は、アクチュエーター１の側壁に接しているものとするが、これに限定されるものではなく、テーパー部３Ｅ１がノズル基板１１Ａの側壁に接しているものとしてもよい。また、親インク領域をノズル基板１１Ａ又はアクチュエーター１の側壁にも設けておくことにより、より付着したインクをノズル基板１１Ａに流れ込ませやすくする観点でより好ましい。テーパー部３Ｅ１は、前面から見て、ノズル基板１１Ａの周辺に帯状に形成されている。テーパー部３Ｅ１の前面の一番低い部分は、ノズル基板１１Ａの前面よりもＸ方向の高さが低い。天板３Ｅの高い部分の前面（テーパー部３Ｅ１の前面の一番高い部分に接する平面）は、ノズル基板１１Ａの前面よりもＸ方向の高さが高い。天板３Ｅは、前面の全面が親インク処理されておらず、前面の一部のみが親インク処理されて、天板３Ｅのテーパー部３Ｅ１の前面の一部、より具体的には、天板３Ｅのテーパー部３Ｅ１のうち、ノズル基板１１Ａに隣接する領域に親インク処理された親インク領域３ｃＥが形成されている。テーパー部３Ｅ１は、Ｙ方向において、天板３Ｅの長さのうちノズル基板１１Ａ側の１／２の長さの領域に形成されている。また、テーパー部３Ｅ１は、Ｚ方向において、天板３Ｅの長さのうちノズル基板１１Ａ側の１／２の長さの領域に形成されている。親インク領域３ｃＥは、Ｙ方向において、テーパー部３Ｅ１の長さのうちノズル基板１１Ａ側の１／２の長さの領域に形成されている。また、親インク領域３ｃＥは、Ｚ方向において、テーパー部３Ｅ１の長さのうちノズル基板１１Ａ側の１／２の長さの領域に形成されている。なお、このテーパー部３Ｅ１、親インク領域３ｃＥの位置、形状は、一例であって、この例に限定されるものではない。例えば、テーパー部３Ｅ１の前面の一番低い部分のＸ方向の高さは、ノズル基板１１Ａの前面の高さ以上とし、ノズル基板１１Ａ又はアクチュエーター１の側壁を介さずにノズル基板１１Ａの前面に付着したミストを直接流れ込ませる構成としても良い。
【００７６】
インクジェットヘッド１００Ｅの製造方法は、インクジェットヘッド１００Ｅの組立までは、実施例１のインクジェットヘッド１００Ａの製造方法と同様である。組み立てたインクジェットヘッド１００Ｅには、矩形の穴部を有する保護材２１が天板３Ｅ上に設けられ、真空プラズマ処理として、ドライエッチングを行うことにより、親インク領域１ｃＡ，３ｃＥが形成される。親インク領域３ｃＥは、＋Ｘ側から見て、ノズル基板１１Ａの周囲に帯状に形成されている。保護材２１は、除去される。
【００７７】
（実施例６）
図９を参照して、本実施の形態のインクジェットヘッド１００の一実施例としての実施例６のインクジェットヘッド１００Ｆを説明する。図９は、インクジェットヘッド１００Ｆの断面図である。なお、実施例１と同じ部材には、同じ符号を付してその説明を省略する。
【００７８】
図９に示すように、インクジェットヘッド１００Ｆは、ノズル基板１１Ａと、天板３Ｆと、を有する。図９は、ノズル基板１１Ａのノズル１１ａを通るＸＹ平面の断面図である。
【００７９】
天板３Ｆは、実施例５のテーパー部３Ｅ１と同様の位置、形状のテーパー部３Ｆ１を有する。天板３Ｆは、前面の全面が親インク処理されておらず、テーパー部３Ｆ１の前面の全面のみが親インク処理されて、天板３Ｆのテーパー部３Ｆ１の前面の全面に、親インク処理された親インク領域３ｃＦが形成されている。なお、このテーパー部３Ｆ１、親インク領域３ｃＦの位置、形状は、一例であって、この例に限定されるものではない。
【００８０】
インクジェットヘッド１００Ｆの製造方法は、インクジェットヘッド１００Ｆの組立までは、実施例１のインクジェットヘッド１００Ａの製造方法と同様である。組み立てたインクジェットヘッド１００Ｆには、保護材２１よりも大きな矩形の穴部を有する保護材２２が天板３Ｆ上に設けられ、真空プラズマ処理として、ドライエッチングにより、ノズル基板１１Ａの前面の全面と天板３Ｆの前面の一部とが親インク化された親インク領域１ｃＡ，３ｃＦを有する。親インク領域３ｃＦは、＋Ｘ側から見て、ノズル基板１１Ａの周囲に帯状に形成されている。保護材２２は、除去される。
【００８１】
（実施例７）
図１０を参照して、本実施の形態のインクジェットヘッド１００の一実施例としての実施例７のインクジェットヘッド１００Ｇを説明する。図１０（ａ）〜図１０（ｄ）は、インクジェットヘッド１００Ｆの親インク処理の各工程の断面図である。なお、実施例１と同じ部材には、同じ符号を付してその説明を省略する。
【００８２】
図１０（ａ）に示すように、インクジェットヘッド１００Ｇは、ノズル基板１１Ａと、天板３Ｇと、を有する。図１０（ａ）〜図１０（ｄ）は、ノズル基板１１Ａのノズル１１ａを通るＸＹ平面の断面図である。
【００８３】
天板３Ｇは、実施例５のテーパー部３Ｅ１と同様の位置、形状のテーパー部３Ｇ１を有する。なお、このテーパー部３Ｇ１の位置、形状は、一例であって、この例に限定されるものではない。
【００８４】
インクジェットヘッド１００Ｇの製造方法は、インクジェットヘッド１００Ｇの組立までは、実施例１のインクジェットヘッド１００Ａの製造方法と同様である。図１０（ａ）に示すように、組み立てたインクジェットヘッド１００Ｇには、矩形の穴部を有する保護材３１が天板３Ｇ上に設けられ、真空プラズマ処理として、所定時間のドライエッチングを行うことにより、ノズル基板１１Ａの前面の全面が親インク処理され、親インク領域１ｃＡを有する。保護材３１は、除去される。
【００８５】
次いで、図１０（ｂ）に示すように、インクジェットヘッド１００Ｇには、保護材３１よりも大きな矩形の穴部を有する保護材３２が天板３Ｇ上に設けられ、真空プラズマ処理として、所定時間のドライエッチングを行うことにより、親インク領域１ｃＡの全面と天板３Ｇの前面の一部とが親インク処理され、さらに親インク化された親インク領域１ｃＡと、親インク処理された親インク領域３ｃＧとが形成される。親インク領域３ｃＧは、親インク領域３ｃＧ１を含む。親インク領域３ｃＧ１は、Ｙ方向において、テーパー部３Ｇ１の長さのうちノズル基板１１Ａ側の１／２の長さの領域に形成されている。また、親インク領域３ｃＧ１は、Ｚ方向において、テーパー部３Ｇ１の長さのうちノズル基板１１Ａ側の１／２の長さの領域に形成されている。保護材３２は、除去される。
【００８６】
次いで、図１０（ｃ）に示すように、インクジェットヘッド１００Ｇには、保護材３２よりも大きな矩形の穴部を有する保護材３３が天板３Ｇ上に設けられ、真空プラズマ処理として、所定時間のドライエッチングを行うことにより、親インク領域１ｃＡの全面と、親インク領域３ｃＧ１の全面及び天板３Ｇの前面の一部と、が親インク処理され、さらに親インク化された親インク領域１ｃＡ，３ｃＧ１と、親インク領域３ｃＧ２とが形成される。親インク領域３ｃＧは、親インク領域３ｃＧ１，３ｃＧ２を含む。親インク領域３ｃＧ２は、Ｙ方向において、テーパー部３Ｇ１の長さのうちノズル基板１１Ａと逆側の１／２の長さの領域に形成されている。また、親インク領域３ｃＧ２は、Ｚ方向において、テーパー部３Ｇ１の長さのうちノズル基板１１Ａと逆側の１／２の長さの領域に形成されている。保護材３３は、除去される。
【００８７】
次いで、図１０（ｄ）に示すように、インクジェットヘッド１００Ｇには、保護材３３よりも大きな矩形の穴部を有する保護材３４が天板３Ｇ上に設けられ、真空プラズマ処理として、所定時間のドライエッチングを行うことにより、親インク領域１ｃＡの全面と、親インク領域３ｃＧ１，３ｃＧ２の全面及び天板３Ｇの前面の一部とが親インク処理され、さらに親インク化された親インク領域１ｃＡ，３ｃＧ１，３ｃＧ２と、親インク領域３ｃＧ３とが形成される。親インク領域３ｃＧは、親インク領域３ｃＧ１，３ｃＧ２，３ｃＧ３を含む。親インク領域３ｃＧ３は、Ｙ方向において、天板３Ｇの表面の長さのうちテーパー部３Ｇ１側の親インク領域３ｃＧ１と同じ長さの領域に形成されている。また、親インク領域３ｃＧ３は、Ｚ方向において、天板３Ｇの表面の長さのうちテーパー部３Ｇ１側の親インク領域３ｃＧ１と同じ長さの領域に形成されている。このように、天板３Ｇの最前面の一部とテーパー部３Ｇ１の前面の全面とが親インク処理されている。親インク領域３ｃＧは、＋Ｘ側から見て、ノズル基板１１Ａの周囲に帯状に形成されている。天板３Ｇは、ノズル基板１１ＡからＹ方向、Ｚ方向に離れるにつれて親インク化の度合いがより低くなる（後退接触角がより大きくなる）親インク処理の４段階のグラデーション構造を有する。つまり、インクジェットヘッド１００Ｇにおいて、天板３Ｇは、インクの後退接触角が最前面の外周からノズル基板１１Ａを中に位置する開口部ｂの側壁にかけて小さくなるよう変化している。保護材３４は、除去される。なお、親インク領域３ｃＧ，３ｃＧ１，３ｃＧ２，３ｃＧ３の位置、形状は、一例であって、この例に限定されるものではない。また、親インク領域１ｃＡ，３ｃＧの親インク処理の段階数は、４段階に限定されるものではない。
【００８８】
ここで、図１１を参照して、実施例１〜７及び比較例１〜３の評価を説明する。図１１は、比較例２のインクジェットヘッド１００Ｈの断面図である。
【００８９】
実施例１〜７及び比較例１〜３のインクジェットヘッドの構成及び評価を次表１にまとめた。
【表１】
0006596830.tif 000002
【００９０】
比較例１のインクジェットヘッドは、実施例１のインクジェットヘッド１００Ａと同様の構成であるが、ノズル基板及び天板に、親インク処理が施されていない。
【００９１】
比較例２のインクジェットヘッド１００Ｈは、実施例１のインクジェットヘッド１００Ａと同様の構成であるが、ノズル基板のノズル穴近傍のみに親インク処理が施され、天板に、親インク処理が施されていない。
【００９２】
図１１に示すように、比較例２のインクジェットヘッド１００Ｈは、ノズル基板１１Ｈと、天板３Ｈと、を有する。ノズル基板１１Ｈは、実施例１のノズル基板１１Ａと同様の形状を有し、真空プラズマ処理として、ドライエッチングを行うことにより親インク処理された親インク領域１ｃＨを有する。天板３Ｈは、実施例１の天板３Ａと同様の形状を有する。但し、インクジェットヘッド１００Ｈの製造時には、インクジェットヘッド１００Ｈの組み立て後、保護材４１が、ノズル基板１１Ｈ及び天板３Ｈ上に設けられる。
【００９３】
保護材４１は、全てのノズル１１ａの前面のノズル穴の位置に直径１００μｍの穴部を有する金属製のマスクである。保護材４１は、その穴部が各ノズル１１ａのノズル穴の中心にくるようにアライメントされた後、ノズル基板１１Ｈに接触させて固定される。そして、Ｘ方向の前面から真空プラズマ処理として、ドライエッチングが施される。保護材４１は、除去される。このようにして、インクジェットヘッド１００Ｈは、ノズル基板１１Ｈのインク吐出側の面のうちノズル１１ａのノズル穴近傍の領域のみ親インク処理される。
【００９４】
比較例３のインクジェットヘッドは、実施例１のインクジェットヘッド１００Ａと同様の構成であるが、ノズル基板のインク吐出側の面のみに親インク処理が施され、天板に、親インク処理が施されていない。
【００９５】
表１の評価における連続射出安定性とは、連続吐出３０分後の射出異常（インクの欠、曲り、速度低下）の有無の確認による評価である。連続射出安定性の評価において、吐出安定性の効果は、吐出周波数が５［ｋＨｚ］以上で兆候が出始め、１０［ｋＨｚ］以上において、顕著となった。また、吐出安定性に関し、射出液滴１滴の液量は、４２［ｐＬ］以下が適切であり、３０［ｐＬ］以下が好ましく、１５［ｐＬ］以下で、より高い効果を確認できた。
【００９６】
また、連続射出安定性の評価において使用したインクには、ミストが舞いやすい粒子を含むインクを用いる。インクジェットヘッドに使用されるインクの粒子径の領域は、平均粒径で１［ｎｍ］〜１０［μｍ］程度である。本実施の形態のインクジェットにおいて好ましい粒子径の範囲としては、１０［ｎｍ］~３［μｍ］であり、５０［ｎｍ］〜６００［ｎｍ］がより好ましい。この範囲には、通常の有機系顔料インクと通常の無機系顔料インクとも含まれる。
【００９７】
インクの密度としては、０．７５〜２．２［ｇ／ｃｍ３］を好ましく用いることができ、より好ましい密度としては、０．７５〜１．８［ｇ／ｃｍ３］である。この範囲には、通常の有機系顔料インク、通常の無機系顔料インク、銀インクが含まれる。
【００９８】
表１の連続射出安定性の評価において、吐出液滴量が平均１４［ｐＬ］の液滴を吐出可能な５１２のノズル穴を有する実施例１〜７及び比較例１〜３のインクジェットヘッドを作製し使用した。使用するインクの有機溶剤としてｎ−テトラデカン用いると共に平均粒子径２５０［ｎｍ］の顔料を５［ｗｔ％］を含有させたインクを使用した。
駆動回路からインクジェットヘッドにパルス信号を送ることにより吐出周波数１０［ｋＨｚ］で上述したインクを出射しながら、搬送速度２４［ｍ／ｍｉｎ］で紙を搬送させ連続吐出印画試験を行った。このとき、３０分経過後連続吐出印画を止め、一度ノズル検査パターンを描画した。全ノズルについて、着弾したドッドの有無、射出角度を測定した。
【００９９】
表１の連続射出安定性の評価において、
◎：着弾ドットが観測されなかったノズルはなく、全吐出ノズルも−１°〜＋１°の範囲におさまる、
○：着弾ドットが観測されなかったノズルはないが、全吐出ノズルが、−１°〜＋１°の範囲におさまらない、
△：着弾ドットが観測されなかったノズルが、１〜２０個存在する、
×：着弾ドットが観測されなかったノズルが、２０個以上存在する、
とした。
【０１００】
表１の連続射出安定性の評価では、比較例１〜３のインクジェットヘッドは、いずれも×となり、良好でない評価となった。実施例１〜７のインクジェットヘッドは、いずれも△以上となり、比較例１〜３のインクジェットヘッドに比べて良好な評価が得られた。特に、実施例１、２、５〜７のインクジェットヘッドは、いずれも○以上となり、より良好な評価が得られた。さらに、実施例７のインクジェットヘッドは、◎となり、最も良好な評価が得られた。
【０１０１】
以上、本実施の形態によれば、実施例１〜７のインクジェットヘッドは、ノズル基板と、ノズル基板を取り囲む天板と、を備え、ノズル基板のうち、ノズルからインクが吐出される側の面（前面）の全面と、天板のうち、ノズルからインクが吐出される側の面の少なくとも一部と、が親インク処理されている。
【０１０２】
このため、インクジェットヘッドの連続使用環境で生じる傷に対しても劣化がない上に、たとえ発生したインクのミストが多い環境下でミストが親インク処理された部分に付着しても、ごく薄い液膜を形成した状態を維持するため、ノズル面の状態に変化が生じず、インクの連続吐出中も安定化した吐出特性を得ることができる。
【０１０３】
また、実施例２、４〜７のインクジェットヘッドにおいて、天板は、リセス構造部を有し、ノズル基板は、天板の最前面よりも低い位置に配置されている。例えば、図５、図７のインクジェットヘッド１００Ｂ，１００Ｄにおいて、ノズル基板１１Ａは、天板３Ｂ，３Ｄの最前面（凸部の前面）よりも低い位置に配置されている。また、図８〜図１０のインクジェットヘッド１００Ｅ，１００Ｆ，１００Ｇにおいて、ノズル基板１１Ａは、天板３Ｅ，３Ｆ，３Ｇのテーパー部３Ｅ１，３Ｆ１，３Ｇ１の最も高い部分に接する最前の平面よりも低い位置に配置されている。このため、リセス構造部により、記録媒体等とノズル基板とが接触しにくいため、ノズル基板の表面を保護できる。なお、ノズル基板は、天板の最前面と等しい高さ、又は天板の最前面より高い高さの位置に配置されている構成としてもよい。
【０１０４】
また、実施例５〜７のインクジェットヘッドにおいて、天板のリセス構造部は、最前面の外周からノズル基板を中に位置する開口部の側壁にかけてなだらかに連続するテーパー部であることが好ましい。この構成によれば、天板に付着したインクをノズル基板のノズル面近傍になだらかに流れ込ませることができる。
【０１０５】
また、実施例１〜７のインクジェットヘッドにおいて、親インク処理は、真空プラズマ処理である。このため、ムラなく全面を親インク処理することができる。
【０１０６】
また、実施例１〜７のインクジェットヘッドにおいて、真空プラズマ処理は、ドライエッチングである。このため、短時間で親インク処理を行うことができる。
【０１０７】
また、実施例７のインクジェットヘッドにおいて、天板は、インクの後退接触角が最前面の外周からノズル基板を中に位置する開口部の側壁にかけて小さくなるよう変化している。このため、天板の最前面の外周からノズル基板の開口部の側壁にかけてインクへの親和性を変化させ、親和性のグラデーションをつくることで、インクが親インク処理された部分に付着しても、ごく薄い液膜を形成して液だまりを防ぎ、薄い液膜の流れをつくり、インクをノズル基板のノズル穴に回収できる。
【０１０８】
また、実施例１〜７のインクジェットヘッドは、吐出するインクが粒子を含むインクである。このため、粒子を含むためミストが舞いやすいインクの連続吐出中も安定化した吐出特性を得ることができる。
【０１０９】
なお、上記実施の形態における記述は、本発明に係る好適なインクジェットヘッドの製造方法及びインクジェットヘッドの一例であり、これに限定されるものではない。
【０１１０】
例えば、上記実施の形態（実施例）の構成、下記の構成のうち、少なくとも２つを適宜組み合わせる構成としてもよい。
【０１１１】
また、上記実施の形態では、真空プラズマ処理として、ドライエッチングを用いて親インク処理を行う構成としたが、これに限定されるものではない。親インク処理をウェットエッチングで行う構成としてもよい。この構成によれば、インクジェットヘッドの電装系へのダメージのリスクを低減できる。
【０１１２】
また、以上の実施の形態におけるインクジェット記録装置１０００を構成する各部の細部構成及び細部動作に関して本発明の趣旨を逸脱することのない範囲で適宜変更可能である。
【符号の説明】
【０１１３】
１０００  インクジェット記録装置
２００  搬送部
２１０  巻き出しロール
２２０，２３０  ローラー
２４０  巻き取りロール
３００  画像形成部
３１０  ラインヘッド
３２０  照射部
３３０  キャリッジ
３３０ａ  キャリッジヒーター
４００  インク供給部
４１０  インクタンク
４２０  ポンプ
４３０  インクチューブ
４４０  サブタンク
４４０ａ  フロートセンサー
４５０  インクチューブ
４６０  ヒーター
５００  制御部
１００，１００Ａ，１００Ｂ，１００Ｃ，１００Ｄ，１００Ｅ，１００Ｆ，１００Ｇ，１００Ｈ  インクジェットヘッド
１  アクチュエーター
１１，１１Ａ  ノズル基板
１１ａ  ノズル
２  筐体
３，３Ａ，３Ｂ，３Ｃ，３Ｄ，３Ｅ，３Ｆ，３Ｇ，３Ｈ  天板
１ａ，３ａ  前面
１ｃＡ，３ｃＡ，３ｃＢ，３ｃＣ，３ｃＤ，３ｃＥ，３ｃＦ，３ｃＧ，３ｃＧ１，３ｃＧ２，３ｃＧ３，１ｃＨ  親インク領域
３Ｂ１，３Ｄ１  凹部
３Ｅ１，３Ｆ１，３Ｇ１  テーパー部
４，５  接着剤層
ｂ  開口部
２１，２２，３１，３２，３３，３４，４１  保護材
【図１】
0006596830.tif 000003
【図２】
0006596830.tif 000004
【図３】
0006596830.tif 000005
【図４】
0006596830.tif 000006
【図５】
0006596830.tif 000007
【図６】
0006596830.tif 000008
【図７】
0006596830.tif 000009
【図８】
0006596830.tif 000010
【図９】
0006596830.tif 000011
【図１０】
0006596830.tif 000012
【図１１】
0006596830.tif 000013